(57)【要約】【課題】ネジを一切用いることなく簡単にリムにエンドピースやブリッジなどの構成部品をワンタッチで確実かつ安定に止着することができる眼鏡リムのスクリューレス止着機構を提供すること。【解決手段】上下一対の差込ピン１１・１１を側縁部に備えたリム１と；エンドピースＥおよび／またはブリッジＢの端部に装着する結合部品であって、前記リム１に対向する面にはリム囲い溝２２を備え、このリム囲い溝２２の溝底には前記差込ピン１１・１１が貫挿可能な通孔２１が開設されたジョイント部品２と；このジョイント部品２の外面に充当する板状体であって、前記リム１の差込ピン１１・１１および前記ジョイント部品２の通孔２１に対応する連結スリーブ３１を備え、この連結スリーブ３１は通孔２１を貫通した状態で前記差込ピン１１・１１を受け入れて嵌合するファスナー部品３とによって構成した。【選択図】  図２
2005010479.tif 000002
【特許請求の範囲】
【請求項１】
上下一対の差込ピン１１・１１を側縁部に備えたリム１と；エンドピースＥおよび／またはブリッジＢの端部に装着する結合部品であって、前記リム１に対向する面にはリム囲い溝２２を備え、このリム囲い溝２２の溝底には前記差込ピン１１・１１が貫挿可能な通孔２１が開設されたジョイント部品２と；このジョイント部品２の外面に充当する板状体であって、前記リム１の差込ピン１１・１１および前記ジョイント部品２の通孔２１に対応する連結スリーブ３１を備え、この連結スリーブ３１は通孔２１を貫通した状態で前記差込ピン１１・１１を受け入れて嵌合しているファスナー部品３とによって構成されていることを特徴とする眼鏡リムのスクリューレス止着機構。
【請求項２】
ジョイント部品２に一対の通孔２１・２１が開設されており、この通孔２１・２１に、ファスナー部品３の一対の連結スリーブ３１・３１がそれぞれ貫通した状態で、リム１の差込ピン１１・１１を受け入れて嵌合するように構成したことを特徴とする請求項１記載の眼鏡リムのスクリューレス止着機構。
【請求項３】
リム１の差込ピン１１の外周に抜け止め１１ａが形成されていることを特徴とする請求項１または２記載の眼鏡リムのスクリューレス止着機構。
【請求項４】
ファスナー部品３の連結スリーブ３１の外周に滑り止め３１ａが形成されていることを特徴とする請求項１〜３の何れか一つに記載の眼鏡リムのスクリューレス止着機構。
【請求項５】
上下一対のスリーブ突起１３・１３を備えたリム１と；エンドピースＥおよび／またはブリッジＢの端部に装着する結合部品であって、前記リム１に対向する面にはリム囲い溝２２を備え、このリム囲い溝２２の溝底には前記リム１のスリーブ突起１３・１３が貫挿可能な通孔２１・２１が開設されたジョイント部品２と；このジョイント部品２の外面に充当する板状体であって、前記ジョイント部品２の通孔２１・２１を貫通した状態の前記リム１のスリーブ突起１３・１３に嵌合しているファスナー部品３とによって構成されていることを特徴とする眼鏡リムのスクリューレス止着機構。
【請求項６】
ファスナー部品３の差込軸３２の外周に抜け止め３２ａが形成されていることを特徴とする請求項５記載の眼鏡リムのスクリューレス止着機構。
【請求項７】
リム１のスリーブ突起１３の外周に滑り止め１３ａが形成されていることを特徴とする請求項５または６記載の眼鏡リムのスクリューレス止着機構。
【請求項８】
ジョイント部品２の外面に沈み穴２３が形成されており、この沈み穴２３にファスナー部品３が充当することを特徴とする請求項１〜７の何れか一つに記載の眼鏡リムのスクリューレス止着機構。
【請求項９】
リム１が分断して互いに合接／分離可能に構成したロック端部１２・１２に差込ピン１１がそれぞれ形成されており、レンズＬをリムロックできるようにしたことを特徴とする請求項１〜８の何れか一つに記載の眼鏡リムのスクリューレス止着機構。
【発明の詳細な説明】
【０００１】
【発明の属する技術分野】
本発明は、眼鏡フロント枠の組立機構の改良、更に詳しくは、面倒なネジ止め作業をしなくても、リムにエンドピースやブリッジなどの構成部品を止めネジを使わず殆どワンタッチで確実かつ安定な状態に連結することができる眼鏡リムのスクリューレス止着機構に関するものである。
【０００２】
【従来の技術】
周知のとおり、眼鏡は、リム枠やエンドピース、テンプル、ブリッジなどの構成部品を接合したり連結したりして組み立てられており、従来公知技術の例として、リムにおけるレンズ止着部分において部材同士をネジで止着する構造が開示されている（特許文献１参照）。
【０００３】
しかしながら、このような構造については、第一に、微細なネジを用いるために作業が繊細で面倒であるという不満がある。また、取付の際にネジを強く締めすぎるとジョイント片が破壊して脱落したり、あるいは、過負荷によりレンズに破損が生ずるおそれがある。
【０００４】
逆に、ネジの締め付けが弱いと止着箇所がガタついたり、あるいはレンズが外れてしまってこれまた不都合であり、しかも、ネジは使用振動によっても緩み易いため、確実な止着調節作業を行うには技巧や熟練を要する。
【０００５】
【特許文献１】
特開２００２−８２３１８号公報（第４−５頁、第２−５図）
【０００６】
【発明が解決しようとする課題】
本発明は、従来の眼鏡の組み立て構造に上記の如き問題点があったことに鑑みて為されたものであって、その目的とするところは、ネジを一切用いることなく簡単にリムにエンドピースやブリッジなどの構成部品をワンタッチで確実かつ安定に止着することができる眼鏡リムのスクリューレス止着機構を提供することにある。
【０００７】
【課題を解決するための手段】
本発明者が上記課題を解決するために採用した手段を、添付図面を参照して説明すれば，次のとおりである。
【０００８】
即ち、本発明は、上下一対の差込ピン１１・１１を側縁部に備えたリム１と；エンドピースＥおよび／またはブリッジＢの端部に装着する結合部品であって、前記リム１に対向する面にはリム囲い溝２２を備え、このリム囲い溝２２の溝底には前記差込ピン１１・１１が貫挿可能な通孔２１が開設されたジョイント部品２と；このジョイント部品２の外面に充当する板状体であって、前記リム１の差込ピン１１・１１および前記ジョイント部品２の通孔２１に対応する連結スリーブ３１を備え、この連結スリーブ３１は通孔２１を貫通した状態で前記差込ピン１１・１１を受け入れて嵌合するファスナー部品３という手段を採用した点に特徴がある。
【０００９】
また、本発明は、上記課題を解決するために、必要に応じて上記手段に加え、ジョイント部品２に一対の通孔２１・２１を開設し、この通孔２１・２１に、ファスナー部品３の一対の連結スリーブ３１・３１がそれぞれ貫通した状態で、リム１の差込ピン１１・１１を受け入れて嵌合するように構成するという技術的手段を採用した。
【００１０】
更にまた、本発明は、上記課題を解決するために、必要に応じて上記手段に加え、リム１の差込ピン１１の外周に抜け止め１１ａを形成するという技術的手段を採用した。
【００１１】
更にまた、本発明は、上記課題を解決するために、必要に応じて上記手段に加え、ファスナー部品３の連結スリーブ３１の外周に滑り止め３１ａを形成するという技術的手段を採用した。
【００１２】
また、本発明は、上下一対のスリーブ突起１３・１３を備えたリム１と；エンドピースＥおよび／またはブリッジＢの端部に装着する結合部品であって、前記リム１に対向する面にはリム囲い溝２２を備え、このリム囲い溝２２の溝底には前記リム１のスリーブ突起１３・１３が貫挿可能な通孔２１・２１が開設されたジョイント部品２と；このジョイント部品２の外面に充当する板状体であって、前記ジョイント部品２の通孔２１・２１を貫通した状態の前記リム１のスリーブ突起１３・１３に嵌合しているファスナー部品３という手段を採用した点に特徴がある。
【００１３】
また、本発明は、上記課題を解決するために、必要に応じて上記手段に加え、ファスナー部品３の差込軸３２の外周に抜け止め３２ａを形成するという技術的手段を採用した。
【００１４】
更にまた、本発明は、上記課題を解決するために、必要に応じて上記手段に加え、リム１のスリーブ突起１３の外周に滑り止め１３ａを形成するという技術的手段を採用した。
【００１５】
更にまた、本発明は、上記課題を解決するために、必要に応じて上記手段に加え、ジョイント部品２の外面に沈み穴２３を形成し、この沈み穴２３にファスナー部品３を充当するという技術的手段を採用した。
【００１６】
更にまた、本発明は、上記課題を解決するために、必要に応じて上記手段に加え、リム１を分断して互いに合接／分離可能に構成したロック端部１２・１２に差込ピン１１をそれぞれ形成し、レンズＬをリムロックできるようにするという技術的手段を採用した。
【００１７】
【発明の実施の形態】
本発明の好ましい実施の形態を図示した添付図面に基いて、本発明の具体的内容を説明すると、次のとおりである。
【００１８】
「第１実施形態」
本発明の第１実施形態を図１から５に基いて説明する。本実施形態では、左右一対のレンズＬ・Ｌを抱持するリム１・１がブリッジＢで連結されたフロント枠Ｆの外側縁部に、テンプルＴが連結されたエンドピースＥが配設されたフルリム眼鏡を構成している（図１参照）。
【００１９】
図中、符号１で指示するものはリムであり、本実施形態では、このリム１を上下に分断してロック端部１２・１２を形成し、当該内周縁にレンズＬを抱持することができるようにする。そして、このロック端部１２・１２には、差込ピン１１・１１をそれぞれ形成する。
【００２０】
また、符号２で指示するものはジョイント部品であり、このジョイント部品２は、エンドピースＥおよび／またはブリッジＢ（本実施形態では、エンドピースＥ）の端部に装着されており、前記リム１に対向する面には、リム囲い溝２２を上下に亙り形成し、かつ、当該リム囲い溝２２の溝底には一対の通孔２１・２１を開設する。
【００２１】
そして、符号３で指示するものはファスナー部品であって、このファスナー部品３は、前記ジョイント部品２の外面に充当する板状体であって、一対の円筒形の連結スリーブ３１・３１を備えている。
【００２２】
しかして、図２に示す如く本実施形態のスクリューレス止着機構の構成について説明する。まず、ファスナー部品３の連結スリーブ３１・３１を前記ジョイント部品２の通孔２１・２１に貫通して、当該ファスナー部品３を前記ジョイント部品２の外面に充当させる。
【００２３】
次に、このファスナー部品３の連結スリーブ３１・３１に、前記リム１の差込ピン１１・１１を当該連結スリーブ３１・３１の先端側から差込み嵌合して、当該リム１の側縁部を前記ジョイント部品２のリム囲い溝２２に嵌合する。このようにしてリム１とエンドピースＥとを確実に止着することができる。この際、差込ピン１１・１１が寄り合って連結スリーブ３１・３１に差込み嵌合することにより、ロック端部１２・１２が合接されてレンズＬをリムロックすることができる。
【００２４】
ちなみに、ファスナー部品３は、弾性変形可能な軟質な合成樹脂（例えば、ナイロン系樹脂やアクリル系樹脂、合成ゴムなど）で作製することにより、リム１の差込ピン１１を緊嵌状態に嵌合することができる。
【００２５】
また、図３に示すように、必要に応じて、差込ピン１１の外周に突起状の抜け止め１１ａを形成しておくことにより、より確実に止着することができる。
【００２６】
更にまた、図４に示すように、必要に応じて、ファスナー部品３の連結スリーブ３１は、周囲に突起状の滑り止め３１ａを形成しておくことにより、ジョイント部品２の通孔２１に貫通して緊嵌状態に嵌合することができる。
【００２７】
更にまた、図５に示すように、必要に応じて、ジョイント部品２の外面に沈み穴２３を形成し、この沈み穴２３にファスナー部品３を充当することにより、確実に位置決めされて外れ難くすることできる上に、デザイン的にもスッキリとさせることができる。
【００２８】
このように、本実施形態においては、ジョイント部品２の通孔２１・２１にファスナー部品３の連結スリーブ３１・３１を貫通し、この連結スリーブ３１・３１にリム１の差込ピン１１・１１を嵌合するというワンタッチの簡単な作業で、リム１とエンドピースＥとを止着することができる。
【００２９】
また、リム１の差込ピン１１・１１と、ファスナー部品３の連結スリーブ３１・３１とが緊嵌状態に嵌合するとともに、前記リム１の側縁部がジョイント部品２のリム囲い溝２２に嵌合することにより、ガタつき無く確実な止着が実現できる。
【００３０】
「第２実施形態」
次に、本発明の第２実施形態を図６に基いて説明する。本実施形態では、第１実施形態におけるリム１の差込ピン１１およびファスナー部品３の連結スリーブ３１の凹凸嵌合関係を反対にして構成しており、リム１の側縁部に上下一対の円筒形のスリーブ突起１３・１３が形成されている。また、ファスナー部品３は一対の差込軸３２・３２を備えている。
【００３１】
そして、前記リム１のスリーブ突起１３・１３を、第１実施形態と同様にして構成されたジョイント部品２の通孔２１・２１に貫通して、当該リム１の側縁部を前記ジョイント部品２のリム囲い溝２２に嵌合する。
【００３２】
次いで、前記リム１のスリーブ突起１３・１３に、前記ファスナー部品３の差込軸３２・３２を嵌合させ、当該ファスナー部品３が前記ジョイント部品２の外面に充当することにより、リム１とエンドピースＥとがワンタッチで簡単かつ確実に止着されるのである。
【００３３】
この際、第１実施形態の変形例と同様に、必要に応じて、スリーブ突起１３の外周に滑り止め１３ａを形成したり、差込軸３２の外周に抜け止め３２ａを形成することにより、より確実に止着することができる。
【００３４】
「第３実施形態」
次に、本発明の第３実施形態を図７および図８に基いて説明する。本実施形態では、ジョイント部品２の通孔２１を縦長の長孔（略楕円）形状に形成する。例えば、図７に示すように、この通孔２１にファスナー部品３の連結スリーブ３１・３１を共に貫通して、当該連結スリーブ３１・３１にリム１の差込ピン１１・１１をそれぞれ嵌合することによって部材同士を止着することができる。
【００３５】
また、図８に示すように、ファスナー部品３の連結スリーブ３１を前記通孔２１と略同一断面形状の長孔（略楕円）形状に形成し、この連結スリーブ３１を前記通孔２１に貫通した状態で、当該連結スリーブ３１にリム１の差込ピン１１・１１を共に嵌合することによって部材同士を止着することができる。
【００３６】
即ち、リム１側に形成される一対の差込ピン１１・１１（若しくはスリーブ突起１３・１３）の各外側縁が、長孔形状に形成されたファスナー部品３の連結スリーブ３１の長軸側の内周縁に当接するか、または、ファスナー部品３に形成される一対の連結スリーブ３１・３１（若しくは差込軸３２・３２）の各外側縁が、ジョイント部材２の通孔２１の長軸側の内周縁に当接するように構成したものであれば、上記実施形態と同様に部材同士を止着することができる。
【００３７】
本明細書と図面に具体的に示される実施形態は概ね上記の通りであるが、本発明の技術的範囲は上記実施形態に限定されるものでは決してなく、「特許請求の範囲」の記載内において数々の設計変更が可能であり、例えば，  本発明の眼鏡リムのスクリューレス止着機構はフルリム眼鏡において、リムロック構造を有するものを挙げて説明したが、ハーフリム眼鏡においても採用することができ、この際、リム側縁部に上下一対の差込ピン１１・１１が形成されていれば良く、また、上記実施形態ではエンドピースＥ部分に採用した場合を説明したが、ブリッジＢ部分に採用することも当然可能である（図９参照）。
【００３８】
更にまた、差込ピン１１（またはスリーブ突起１３）および連結スリーブ３１（または差込軸３２）の形状は適宜変更することができ、例えば、差込ピン１１を多角形や異形の断面となるように形成したり、あるいは連結スリーブ３１の外周の滑り止め３１ａ・３１ａ…を環瘤状にしてしても良く、何れのものも本発明の技術的範囲に属する。
【００３９】
【発明の効果】
以上、実施形態を挙げて説明したとおり、本発明による眼鏡リムのスクリューレス止着機構によると、ジョイント部品に形成された通孔にファスナー部品の連結スリーブを貫通し、この連結スリーブにリムの差込ピンを嵌合するとともに、同リムの側縁部が前記ジョイント部品のリム囲い溝に嵌合するように構成したことにより、ネジを一切用いることなくリムにエンドピースまたはブリッジなどの構成部品をワンタッチで簡単かつ確実に止着できる。
【００４０】
したがって、従来品のように振動等によるネジ緩みの心配がなく、長期間に亙ってガタつきのない確実なリム止着することができ、しかも、眼鏡の組み立て作業の簡易迅速化にも資することができることから、眼鏡における実用的利用価値は頗る高いものがある。
【図面の簡単な説明】
【図１】本発明の第１実施形態の眼鏡を表わす全体斜視図である。
【図２】本発明の第１実施形態の構造を表わす分解斜視図である。
【図３】本発明の第１実施形態におけるリムの変形例を表わす部分斜視図である。
【図４】本発明の第１実施形態におけるファスナー部品の変形例を表わす部分斜視図である。
【図５】本発明の第１実施形態におけるジョイント部品の変形例を表わす部分斜視図である。
【図６】本発明の第２実施形態の構造を表わす分解斜視図である。
【図７】本発明の第３実施形態の構造を表わす分解斜視図である。
【図８】本発明の第３実施形態の構造を表わす分解斜視図である。
【図９】本発明の設計変更例を表わす分解斜視図である。
【符号の説明】
１      リム
１１    差込ピン
１１ａ  抜け止め
１２    ロック端部
１３    スリーブ突起
１３ａ  滑り止め
２      ジョイント部品
２１    通孔
２２    リム囲い溝
２３    沈み穴
３      ファスナー部品
３１    連結スリーブ
３１ａ  滑り止め
３２    差込軸
３２ａ  抜け止め
Ｆ      フロント部
Ｌ      レンズ
Ｂ      ブリッジ
Ｅ      エンドピース
Ｔ      テンプル
【図１】
2005010479.tif 000003
【図２】
2005010479.tif 000004
【図３】
2005010479.tif 000005
【図４】
2005010479.tif 000006
【図５】
2005010479.tif 000007
【図６】
2005010479.tif 000008
【図７】
2005010479.tif 000009
【図８】
2005010479.tif 000010
【図９】
2005010479.tif 000011